(57)【要約】【課題】ブランクシートの組立による包装箱について、開封の事実を一目で判別できるようにし、かつ、再封状態を安定化させる。【解決手段】  矩形の外蓋２の内側に矩形の中蓋３及び内蓋４が順次配置された直方体形の包装箱１Ａであって、内蓋４は内蓋連接辺４ａが包装箱１Ａの第１側壁５Ａと連接し、これに対向する内蓋縁辺４ｂに差込フラップ６が連接している。中蓋３は中蓋連接辺３ａが第１側壁に隣接した第２側壁５Ｂに連接し、中蓋連接辺３ａとこれに対向する中蓋縁辺３ｂとの間で中蓋３を分断する中蓋切断誘導線Ｌａを有し、外蓋２は外蓋連接辺２ａが、第１側壁５Ａに対向する第３側壁５Ｃに連接し、外蓋連接辺２ａに沿って外蓋を切除する外蓋切断誘導線Ｌｂを有する。中蓋３と外蓋２が中蓋切除予定領域３Ｘで貼着されている。外蓋２の切除により中蓋切除予定領域３Ｘも切除され、内蓋４が再封用外蓋となり、中蓋残片３Ｙが開口部フラップとなる。【選択図】図４Ａ
2014129135.tif 000002
【特許請求の範囲】
【請求項１】
矩形の外蓋の内側に矩形の中蓋及び内蓋が順次配置された直方体形の包装箱であって、
内蓋は、その一辺の内蓋連接辺で包装箱の第１側壁と連接し、内蓋連接辺に対向する内蓋縁辺に差込フラップが連接し、
中蓋は、その一辺の中蓋連接辺で、第１側壁に隣接した第２側壁に連接し、中蓋連接辺と該中蓋連接辺に対向する中蓋縁辺との間で中蓋を分断する中蓋切断誘導線を有し、
外蓋は、その一辺の外蓋連接辺で、第１側壁に対向する第３側壁に連接し、外蓋連接辺に沿って外蓋を切除する外蓋切断誘導線を有し、
中蓋切断誘導線から中蓋縁辺側の中蓋切除予定領域で、中蓋と外蓋が貼着されている包装箱。
【請求項２】
外蓋切断誘導線を切断して外蓋を切除することにより、中蓋切除予定領域も中蓋切断誘導線で切断して切除された後、再封用外蓋として内蓋で包装箱を閉じたときに、内蓋に連接している差込フラップと、内蓋から中蓋切断領域が切除された残りの中蓋残片とが係合するように、内蓋と差込フラップの間の折線の端部又はその近傍に切り込み又はリブが形成され、該折線と重なる中蓋残片の縁辺に係合用段部が形成されている請求項１記載の包装箱。
【請求項３】
第２側壁に対向する第４側壁において中蓋連接辺に対向する辺に予備フラップが連接し、
外蓋切断誘導線を切断して外蓋を切除することにより、中蓋切除予定領域も中蓋切断誘導線で切断して切除された後、再封用外蓋として内蓋で包装箱を閉じたときに、内蓋に連接している差込フラップと、予備フラップとが係合するように、内蓋と差込フラップの間の折線の端部又はその近傍に切り込み又はリブが形成され、該折線と重なる予備フラップの縁辺に係合用段部が形成されている請求項１又は２記載の包装箱。
【請求項４】
第３側壁の内側に内側側壁が設けられ、該内側側壁と第３側壁との間に差込フラップが差込可能な間隙を有する請求項１〜３のいずれかに記載の包装箱。
【請求項５】
中蓋と外蓋が、少なくとも、中蓋連接辺と外蓋連接辺が交わる角部と対角にある角部近傍領域で貼着されている請求項１〜４のいずれかに記載の包装箱。
【請求項６】
中蓋切断誘導線と中蓋連接辺との距離が、内蓋の幅Ｗの１／６〜４／６である請求項１〜５のいずれかに記載の包装箱。
【請求項７】
請求項１〜６のいずれかに記載の包装箱に化粧品が収容されている化粧品包装体。
【発明の詳細な説明】
【技術分野】
【０００１】
本発明は、包装箱に関する。
【背景技術】
【０００２】
化粧品等の商品を包装箱に収容した包装体においては、不正開封を防止する点から、一度開封された後は、開封の事実を一目で判別できるようにすることが望まれる。また、店頭で商品を顧客に試用し、その商品を顧客に渡す場合などにおいては、一度包装箱を開封して商品を取り出し、その商品を再度包装箱に封じられるようにすることが望ましい。
【０００３】
ブランクシートの組み立てにより作製される化粧品等の包装箱であって、開封されたことを容易に判別できるものとして、四角筒型の容器本体の上端の開口部の周りに、内蓋フラップ、中間蓋フラップ及び外蓋フラップを有し、包装箱を最初に閉じる場合には、開口部上に内蓋フラップ、中間蓋フラップ、外蓋フラップを順次重ね、外蓋フラップの先端に形成された挿入片を、中間蓋フラップと容器本体との境界部分に形成した挿入孔に挿入し、これを開封する場合には、外蓋フラップと容器本体の境界部分に形成されたミシン目で外蓋フラップを切除するものが提案されている（特許文献１）。
【０００４】
この包装箱によれば、外蓋フラップの挿入片とそれに対応した挿入孔を大きくしてこれらを強く係止させることにより包装箱に安定した封止状態を作ることができる。また、これを開封するときには外蓋フラップを切除するので、開封されたことが容易に判別される。さらに、一度開封した後は、中間フラップの先端に形成された差込片を内蓋フラップと容器本体の間に差し込むことにより、再封することが可能となる。
【先行技術文献】
【特許文献】
【０００５】
【特許文献１】登録実用新案第３１０１９３９号公報
【発明の概要】
【発明が解決しようとする課題】
【０００６】
しかしながら、上述の包装箱の再封状態には次の問題がある。
(i)中間蓋フラップの先端に形成された差込片を、矩形の開口部の一縁から伸びている一枚の内蓋フラップと容器本体との間に差し込むだけで再封状態の保持を図るため、中間蓋フラップが不用意に開きやすい。
(ii)矩形の開口部の一縁から伸びている一枚の内蓋フラップだけで外表面の蓋となる中間蓋フラップを支持するため、中間蓋フラップが容器本体内に落ち込んで外観が損なわれ易い。
(iii)内蓋フラップが連接されている開口部の縁辺と反対側の縁辺近傍では中間蓋フラップと容器本体との間に隙間ができ、そこから塵等が箱内に入りやすい。
(iv)中間蓋フラップと容器本体との境界部分には、当初、外蓋フラップで包装箱を閉じるときに使用した大きな挿入孔が残存するので、包装箱の強度が低下する。
【０００７】
これに対し、本発明が解決しようとする課題は、ブランクシートの組立により作製される包装箱について、当初の閉じた状態を開封すると、その開封の事実を一目で判別することができ、かつ、これを再封した場合には、蓋がきれいに閉じた再封状態を安定して保持できるようにすることに関する。
【課題を解決するための手段】
【０００８】
本発明者は、包装箱の当初の閉じた状態を作る外蓋を切除することにより中蓋の一部も切除されて包装箱が開封されるようにし、中蓋の残片を、包装箱を再度閉じるときの再封用の開口部フラップとして使用することが上述の課題の解決に有効であることを見出し、本発明を想到した。
【０００９】
即ち、本発明は、矩形の外蓋の内側に矩形の中蓋及び内蓋が順次配置された直方体形の包装箱であって、
内蓋は、その一辺の内蓋連接辺で包装箱の第１側壁と連接し、内蓋連接辺に対向する内蓋縁辺に差込フラップが連接し、
中蓋は、その一辺の中蓋連接辺で、第１側壁に隣接した第２側壁に連接し、中蓋連接辺と該中蓋連接辺に対向する中蓋縁辺との間で中蓋を分断する中蓋切断誘導線を有し、
外蓋は、その一辺の外蓋連接辺で、第１側壁に対向する第３側壁に連接し、外蓋連接辺に沿って外蓋を切除する外蓋切断誘導線を有し、
中蓋切断誘導線から中蓋縁辺側の中蓋切除予定領域で、中蓋と外蓋が貼着されている包装箱を提供する。
【００１０】
また、本発明は、上述の包装箱に化粧品が収容されている化粧品包装体を提供する。
【発明の効果】
【００１１】
本発明の包装箱によれば、最初に包装箱を閉じる状態が、外蓋とその下に配置された中蓋とが貼着されることにより形成されるので、外蓋の開封は、外蓋と中蓋切除予定領域を切除することにより行われる。そして、閉じられている包装箱を一度開封した後、再度閉じたときの再封状態では、当初の外蓋の全てと中蓋の一部が切除されており、内蓋を再封用外蓋とするので、一目で開封の有無を判別することができる。さらに、この再封時には、開封時に切除した中蓋の残りである残片を開口部フラップとして使用するので、再封用外蓋として使用する内蓋が箱内に落ち込むことにより美観が損なわれたり、蓋と容器本体との隙間から塵などが箱内に入り込んだりすることが防止される。特に、この残片と、再封用外蓋として使用する内蓋から連接させた差込フラップとを係合させると、再封により閉じていた内蓋が意図せず開いてしまうことが防止され、再封状態の安定性が向上する。
【図面の簡単な説明】
【００１２】
【図１】図１は、実施例の包装箱１Ａの展開図である。
【図２Ａ】図２Ａは、実施例の包装箱１Ａの組立過程の斜視図である。
【図２Ｂ】図２Ｂは、実施例の包装箱１Ａの組立過程のＡ−Ａ断面図である。
【図３】図３は、実施例の包装箱１Ａの斜視図である。
【図４Ａ】図４Ａは、実施例の包装箱１Ａの開封過程の斜視図である。
【図４Ｂ】図４Ｂは、実施例の包装箱１Ａの開封過程の斜視図である。
【図４Ｃ】図４Ｃは、実施例の包装箱１Ａの開封過程の斜視図である。
【図４Ｄ】図４Ｄは、実施例の包装箱１Ａの開封状態の斜視図である。
【図５Ａ】図５Ａは、実施例の包装箱１Ａの再封状態の斜視図である。
【図５Ｂ】図５Ｂは、実施例の包装箱１Ａ’の再封状態の部分拡大図である。
【図６】図６は、実施例の包装箱１Ｂの斜視図である。
【発明を実施するための形態】
【００１３】
以下、図面に基づいて本発明の実施例を具体的に説明する。なお、各図中、同一符号は同一又は同等の構成要素を表している。
【００１４】
図１は、本発明の一実施例の包装箱１Ａの展開図であり、図２Ａはその組立過程の斜視図、図２Ｂは組立過程の断面図、図３は実施例の包装箱１Ａの斜視図である。この包装箱１Ａは、ボール紙、プラスチックシート等の薄板状材料で形成された一枚のブランクシートの組立により作製される直方体形の包装箱であって、概略外蓋２、中蓋３、内蓋４、折線により区切られた５つの側壁面材、底板７等から形成されている。包装箱１Ａの内部には、化粧水、美容液、乳液、クリーム等をボトル容器、ジャー容器、チューブ容器等に充填した化粧品が収容される。
【００１５】
この包装箱１Ａは、矩形の外蓋２の内側に矩形の中蓋３及び矩形の内蓋４が順次配置されて閉じられている（図３）。
【００１６】
内蓋４は、その一辺である内蓋連接辺４ａが包装箱の第１側壁５Ａと連接し、内蓋連接辺４ａに対向する内蓋縁辺４ｂに差込フラップ６が連接している。なお、本発明において連接とは、一枚の連続するブランクシートでつながっている状態をいう。
内蓋４には、押込により指穴を開口できる切り込み４ｈが形成されている。
【００１７】
第１側壁５Ａに隣接した第２側壁５Ｂには、中蓋３の一辺である中蓋連接辺３ａが連接している。中蓋３は、この中蓋連接辺３ａと、該中蓋連接辺３ａに対向する中蓋縁辺３ｂとの間で中蓋３を分断する中蓋切断誘導線Ｌａを有している。中蓋切断誘導線Ｌａとしては、ミシン目、ハーフカット等が形成される。
【００１８】
外蓋２は、その一辺である外蓋連接辺２ａが、第１側壁５Ａに対向する第３側壁５Ｃに連接している。この外蓋連接辺２ａに沿って、即ち、外蓋２と第３側壁５Ｃとの間の折線上に、外蓋２全体を切除する外蓋切断誘導線Ｌｂが形成されている。この外蓋切断誘導線Ｌｂもミシン目、ハーフカット等により形成される。
【００１９】
また、中蓋切断誘導線Ｌａから中蓋縁辺３ｂ側の領域（図１の中蓋３において斜めハッチングを付した領域）は、包装箱１Ａの開封時に切除される中蓋切除予定領域３Ｘとなっており、この中蓋切除予定領域内で中蓋３と外蓋２が貼着されている。図３において、ドットでハッチングを付した領域は、この貼着領域を表している。
【００２０】
後述するように、この包装箱１Ａは、外蓋２を引き上げて外蓋切断誘導線Ｌｂで外蓋を切除することにより、外蓋２に貼着されている中蓋３も引き上げられ、中蓋３に形成されている中蓋切断誘導線Ｌａが切断されて中蓋切除予定領域３Ｘが切除され、この中蓋切除予定領域３Ｘの切除により箱本体には中蓋残片３Ｙが残る。中蓋残片３Ｙは、箱の再封時に開口部フラップとして使用され、内蓋４が再封用外蓋として使用される。したがって、開封の事実が一目で判別できるように、外蓋２と内蓋４とは色、印刷柄などの加飾を異ならせることが好ましい。
【００２１】
また、中蓋切断誘導線Ｌａの形成位置としては、中蓋切断誘導線Ｌａと中蓋連接辺３ａとの距離が、開口部３０の幅（即ち、内蓋４の幅）Ｗの１／６〜４／６となるように定めることが好ましい。中蓋切断誘導線Ｌａと中蓋連接辺３ａとの距離が、開口部３０の幅Ｗの１/６以上であることにより、開口部フラップとして折りやすくなり、差込フラップ６と係合し易くなり、再封用外蓋として使用する内蓋４の開口部３０への落ち込みも防止することができる。また、開口部３０の幅Ｗの４／６以下であることにより、中蓋切除予定領域３Ｘ内で、中蓋３と外蓋２との接着領域を十分に確保することができ、見栄えも良好になる。
【００２２】
さらにこの包装箱１Ａでは、再封用外蓋として使用される内蓋４に連接している差込フラップ６と、上述の中蓋残片３Ｙとが再封時に係合するように、内蓋４と差込フラップ６との間の折線Ｌ1の一端にはカギ形の切り込み１２ａが形成され、この切り込み１２ａに対応する中蓋３の縁辺には係合用段部１３が形成されている。
【００２３】
また、この包装箱１Ａでは、第２側壁５Ｂに対向する第４側壁５Ｄにおいて、中蓋連接辺３ａに対向する辺に予備フラップ８が連接している。この予備フラップ８も、包装箱１Ａの再封時には開口部フラップとして使用される。このため、予備フラップ８の高さＨは、包装箱１Ａの開口部３０の幅（即ち、内蓋４の幅）Ｗよりも短くすることが好ましい。また、予備フラップ８と、再封用外蓋として使用される内蓋４に連接した差込フラップ６とが再封時に係合するように、内蓋４と差込フラップ６との間の折線Ｌ1の一端にはカギ形の切り込み１２ｂが形成され、この切り込み１２ｂに対応する予備フラップ８の縁辺に係合用段部１４が形成されている。
【００２４】
なお、上述のカギ形の切り込み１２ａ、１２ｂと段部１３、１４との係合を弱める場合には、カギ形の切り込み１２ａ、１２ｂに代えて直線形切り込みを形成してもよい。さらには、カギ形の切り込み１２ａ、１２ｂに代えて、折線Ｌ1の両端部近傍の差込フラップ６に、該折線Ｌ1に沿って伸びたリブ１７ａ、１７ｂを形成してもよい（図５Ｂ参照）。ここで、リブ１７ａ、１７ｂは、箱の内側に突出するように形成する。また、このようなリブ１７ａ、１７ｂは、エンボス加工により形成することができる。これにより、再封時の差込フラップ６のリブ１７ａと中蓋残片３Ｙの段部１３との係合、及び差込フラップ６のリブ１７ｂと予備フラップ８の段部１４との係合が弱まり、内蓋４を引き上げる開封操作により、容易に開封することができる。
【００２５】
第３側壁５Ｃの内側には、内側側壁５Ｅが設けられている。この内側側壁５Ｅは第３側壁５Ｃから浮いており、第３側壁５Ｃと内側側壁５Ｅとの間には、そこに差込フラップ６を差込可能とする間隙ｓがあいている（図２Ｂ）。
【００２６】
この包装箱１Ａの組み立ては、図２Ａに示すように、５つ矩形の側壁面材を４角筒状に折り曲げ、第３側壁５Ｃに連接している側壁接着フラップ５Ｘと第４側壁５Ｄとを貼り合わせる。この場合、内側側壁５Ｅと第３側壁５Ｃは貼り合わせずに重ね合わせる。次に、第２側壁５Ｂ、第４側壁５Ｄからそれぞれ底板７側に伸びている底部フラップ９Ａ、９Ｂと、底板７及び底板７に連接した底部差込フラップ１０とから常法により差込式の底面を作る。こうして図２Ａに示すように、開口部３０が開いた包装箱１Ａを作製する。なお、包装箱１Ａを最初に閉じた後は開封の有無を容易に判別できるように、底板７側からは開封されず、包装箱１Ａが外蓋２側から開封されるようにすることが好ましい。そのため、例えば、底板７と底部差込フラップ１０の間の折線の両端にはカギ形の切り込み１５を形成すると共に、それに対応する底部フラップ９Ａ、９Ｂの縁辺には係合用段部１６を設け、切り込み１５と段部１６が強く係合するようにすることが好ましい。
【００２７】
開口部３０が開いている包装箱１Ａの内部に化粧品等の所定の内容物を収容した後、包装箱１Ａを最初に閉じる場合には、まず、予備フラップ８を開口部３０上に折り、内蓋４に連接している差込フラップ６を箱内に差し込んで内蓋４で開口部３０を閉じ、その上に中蓋３及び外蓋２を順次重ね合わせ、中蓋３と外蓋２とを、中蓋切除予定領域３Ｘ内で貼着する。この貼着領域は、中蓋切除予定領域３Ｘ内において、少なくとも、中蓋連接辺３ａと外蓋連接辺２ａが交わる角部と対角にある角部近傍領域（外蓋の角部２Ｘと重なり合う領域（図３））とすることが好ましい。この場合、中蓋切除予定領域３Ｘの全体で貼着すると、外蓋２と中蓋切除予定領域３Ｘの切除は容易となるが、貼着作業が煩雑となる。また、中蓋切除予定領域３Ｘにおいて、外蓋連接辺２ａに対向することとなる辺に沿った領域と、中蓋縁辺３ｂに沿った領域とを貼着すると、貼着作業の繁雑さは軽減される。さらに、中蓋切除予定領域３Ｘにおいて外蓋連接辺２ａに対向することとなる辺に沿った領域のみを貼着領域とすると、貼着作業はさらに容易となり、また、外蓋２と中蓋３の間には隙間ができず、一方で中蓋３と内蓋４との間には中蓋３と貼着されている外蓋２のヒンジの力によって若干の隙間が生じるため、開封時に誤って外蓋２と中蓋３との間に指を入れてしまうことが防止される。また、中蓋３と外蓋２との貼着方法としては、包装箱１Ａを構成する薄板状材料の種類に応じて、粘着テープによる貼着、接着剤による接着、溶剤による融着、加熱による溶着などをあげることができる。
【００２８】
また、内蓋４で開口部３０を閉じるときには、差込フラップ６を、第３側壁５Ｃと内側側壁５Ｅとの間隙ｓ内に差し込むことが好ましい。これにより、内蓋４が箱内に落ち込むことを防止することができる。
【００２９】
こうして図３に示すように、包装箱１Ａの内部に化粧品等の内容物が収容され、閉じられた包装体を得ることができる。
【００３０】
この包装体１Ａによれば、中蓋３と外蓋２が、隣り合う側壁５Ｂ、５Ｃに連接し、かつ中蓋３と外蓋２とが重なり合って貼着されているので、包装箱１Ａが不用意に開くことがなく、閉じた状態を安定して保ち、不正開封を防止することができる。また、包装箱１Ａを閉じるために、包装箱の外表面に係止用差込片を差し込む穴を形成することが不要であるため、箱自体の強度を再封後においても強く維持することができる。本発明は、かかる包装体も包含する。
【００３１】
包装箱１Ａを開封する場合には、まず、外蓋２と中蓋３とを貼り合わせた貼着体において、外蓋連接辺２ａによっても中蓋連接辺３ａによっても側壁と連接していない外蓋２の角部２Ｘ側から外蓋２を引き上げ（図４Ａ）、外蓋切断誘導線Ｌｂで外蓋２を切除する（図４Ｂ）。この外蓋２の引き上げ時には、外蓋２と貼着されている中蓋３も一緒に引き上げられるが、中蓋連接辺３ａが第２側壁５Ｂと連接しているため中蓋切断誘導線Ｌａが切断され、中蓋切除予定領域３Ｘが外蓋２と共に切除され、中蓋切断誘導線Ｌａから中蓋連接辺３ａ側が中蓋残片３Ｙとして箱本体に残る（図４Ｂ）。
次に、中蓋残片３Ｙを箱の外側に開き（図４Ｃ）、内蓋４の切り込み４ｈに指を押し込んで指穴を開け、内蓋４を引き上げ、開口部３０を広く開口させ、内容物を取り出す（図４Ｄ）。
【００３２】
一度開封した後、包装箱１Ａを再封する場合には、中蓋残片３Ｙと予備フラップ８を開口部フラップとして使用し、内蓋４を再封用外蓋として使用する（図５Ａ）。この再封状態では、開口部３０の対向する辺から中蓋残片３Ｙと予備フラップ８が開口部フラップとして突出するので、この上に重ねた内蓋４が箱内に落ち込むことが防止され、再封状態が安定する。
【００３３】
また、この再封時には、内蓋４に連接している差込フラップ６を、内側側壁５Ｅの内側面５Ｅａに沿わせて差し込むことが好ましい（図２Ｂ）。これにより、図５Ａに示すように、差込フラップ６と内蓋４との間の折線Ｌ1の両端に形成されている切り込み１２ａ、１２ｂと、中蓋残片３Ｙに形成されている段部１３、予備フラップ８に形成されている段部１４がそれぞれ係合する。したがって、閉じた箱が意図せず開いてしまうことを防止することができる。また、差込フラップ６が内側側壁５Ｅによって箱の中央側に押されることにより上述の係合が強まり、差込フラップ６が箱内から抜けにくくなるので好ましい。
【００３４】
なお、差込フラップ６と内蓋４との間の折線Ｌ1の両端に形成されている切り込み１２ａ、１２ｂに代えて、図５Ｂに示す包装箱１Ａ’のように、差込フラップ６にリブ１７ａ、１７ｂを形成した場合には、中蓋残片３Ｙに形成された段部１３とリブ１７ａとが緩く係合し、予備フラップ８に形成された段部１４とリブ１７ｂとが緩く係合するので、再封後に再度開封することが容易になる。
【００３５】
本発明は、種々の態様をとることができる。
例えば、図６に示す包装箱１Ｂは、上述の包装箱１Ａにおいて内側側壁５Ｅを省略し、また、最初に包装箱１Ｂを閉じるときに、予備フラップ８を看板として箱の外方へ突出させたものである。看板には、例えば、製品名や製品の特徴などの情報が目立つように記載される。これにより、予備フラップ８に、製品の陳列時などにおいて広告板の機能をもたせることができるので好ましい。なお、一度開封した後の再封時には、前述のように予備フラップ８を開口部フラップとして使用することが好ましい。
【００３６】
本発明においては、予備フラップ８や内側側壁５Ｅを省略してもよい。
また、内側側壁５Ｅを設ける場合に、内側側壁５Ｅは側壁から延設する他に、底板７から延設してもよい。
内蓋４の引き上げを容易にするために、指穴を形成する切り込み４ｈに代えて、内蓋４には指掛け用の凹部を適宜形成してもよい。
【００３７】
また、底面の構成には特に限定はなく、例えば、Ａ式（みかん箱タイプ）の底面としてもよく、ロック式の底面としてもよいが、不正開封を防止する点、及び一度開封した後は開封の事実を一目で判別できるようにする点から、底面が容易に開封できないように適宜接着などを行うことが好ましい。
本発明においては、上述した変形態様を適宜組み合わせることができる。
【００３８】
上述した実施形態に関し、本発明はさらに以下の包装箱或いは化粧品包装体を開示する。
＜１＞矩形の外蓋の内側に矩形の中蓋及び内蓋が順次配置された直方体形の包装箱であって、内蓋は、その一辺の内蓋連接辺で包装箱の第１側壁と連接し、内蓋連接辺に対向する内蓋縁辺に差込フラップが連接し、中蓋は、その一辺の中蓋連接辺で、第１側壁に隣接した第２側壁に連接し、中蓋連接辺と該中蓋連接辺に対向する中蓋縁辺との間で中蓋を分断する中蓋切断誘導線を有し、外蓋は、その一辺の外蓋連接辺で、第１側壁に対向する第３側壁に連接し、外蓋連接辺に沿って外蓋を切除する外蓋切断誘導線を有し、中蓋切断誘導線から中蓋縁辺側の中蓋切除予定領域で、中蓋と外蓋が貼着されている包装箱。
【００３９】
＜２＞外蓋切断誘導線を切断して外蓋を切除することにより、中蓋切除予定領域も中蓋切断誘導線で切断して切除された後、再封用外蓋として内蓋で包装箱を閉じたときに、内蓋に連接している差込フラップと、内蓋から中蓋切断領域が切除された残りの中蓋残片とが係合するように、内蓋と差込フラップの間の折線の端部又はその近傍に切り込み又はリブが形成され、該折線と重なる中蓋残片の縁辺に係合用段部が形成されている、前記＜１＞に記載の包装箱。
＜３＞外蓋切断誘導線を切断して外蓋を切除することにより、中蓋切除予定領域も中蓋切断誘導線で切断して切除した後、再封用外蓋として内蓋で包装箱を閉じたときに、中蓋残片が、開口部フラップとなる、前記＜１＞又は＜２＞に記載の包装箱。
＜４＞第２側壁に対向する第４側壁において中蓋連接辺に対向する辺に予備フラップが連接し、外蓋切断誘導線を切断して外蓋を切除することにより、中蓋切除予定領域も中蓋切断誘導線で切断して切除された後、再封用外蓋として内蓋で包装箱を閉じたときに、内蓋に連接している差込フラップと、予備フラップとが係合するように、内蓋と差込フラップの間の折線の端部又はその近傍に切り込み又はリブが形成され、該折線と重なる予備フラップの縁辺に係合用段部が形成されている、前記＜１＞〜＜３＞のいずれかに記載の包装箱。
＜５＞外蓋切断誘導線を切断して外蓋を切除することにより、中蓋切除予定領域も中蓋切断誘導線で切断して切除された後、再封用外蓋として内蓋で包装箱を閉じたときに、予備フラップが、開口部フラップとなる、前記＜４＞に記載の包装箱。
＜６＞内蓋と差込フラップの間の折線の端部の係合用段部が、カギ形の切り込みからなる、前記＜２＞〜＜５＞のいずれかに記載の包装箱。
＜７＞前記内蓋と差込フラップの間の折線の端部の係合用段部が、直線形の切り込みからなる、前記＜２＞〜＜５＞のいずれかに記載の包装箱。
＜８＞内蓋と差込フラップの間の折線の端部において、折線の両端部近傍の差込フラップに、該折線に沿って伸びたリブが形成されている、前記＜２＞〜＜５＞のいずれかに記載の包装箱。
＜９＞リブが、箱の内側に突出するように形成されている、前記＜８＞に記載の包装箱。
＜１０＞第３側壁の内側に内側側壁が設けられ、該内側側壁と第３側壁との間に差込フラップが差込可能な間隙を有する、前記＜１＞〜＜９＞のいずれかに記載の包装箱。
＜１１＞内側側壁が側壁から延設されている、前記＜１０＞に記載の包装箱。
＜１２＞内側側壁が底板から延設されている、前記＜１０＞に記載の包装箱。
＜１３＞中蓋と外蓋が、中蓋切除予定領域内において少なくとも中蓋縁辺に沿った帯状領域で貼着されている、前記＜１＞〜＜１２＞のいずれかに記載の包装箱。
＜１４＞中蓋切断誘導線と中蓋連接辺との距離が、内蓋の幅Ｗの１／６〜４／６である、前記＜１＞〜＜１３＞のいずれかに記載の包装箱。
＜１５＞ボール紙、プラスチックシート等の薄板状材料で形成された一枚のブランクシートの組立により作製される、前記＜１＞〜＜１４＞のいずれかに記載の包装箱。
＜１６＞内蓋に、押込により指穴を開口できる切り込みが形成されている、前記＜１＞〜＜１５＞のいずれかに記載の包装箱。
＜１７＞内蓋に、指掛け用の凹部が形成されている、前記＜１＞〜＜１５＞のいずれかに記載の包装箱。
＜１８＞中蓋切断誘導線は、ミシン目、ハーフカット等からなる、前記＜１＞〜＜１７＞のいずれかに記載の包装箱。
＜１９＞外蓋切断誘導線は、ミシン目、ハーフカット等からなる、前記＜１＞〜＜１８＞のいずれかに記載の包装箱。
＜２０＞予備フラップの高さは、包装箱の内蓋の幅よりも短い、前記＜４＞〜＜１９＞のいずれかに記載の包装箱。
＜２１＞第３側壁に連接している側壁接着フラップと第４側壁とを貼り合わせてなる、前記＜１＞〜＜２０＞のいずれかに記載の包装箱。
＜２２＞第２側壁、第４側壁からそれぞれ底板側に伸びている底部フラップと、底板及び底板に連接した底部差込フラップを備える、前記＜１＞〜＜２１＞のいずれかに記載の包装箱。
＜２３＞前記底板と前記底部差込フラップの間の折線の両端にはカギ形の切り込みを形成すると共に、それに対応する底部フラップの縁辺には係合用段部が形成されている、前記＜２２＞に記載の包装箱。
＜２４＞外蓋切断誘導線を切断して外蓋を切除する前、予備フラップを看板として箱の外方へ突出している、前記＜４＞〜＜２３＞のいずれかに記載の包装箱。
【００４０】
＜２５＞前記＜１＞〜＜２４＞のいずれかに記載の包装箱に化粧品が収容されている化粧品包装体。
【符号の説明】
【００４１】
１Ａ、１Ｂ  包装箱
２  外蓋
２ａ  外蓋連接辺
２Ｘ  外蓋の角部
３    中蓋
３ａ  中蓋連接辺
３ｂ  中蓋縁辺
３Ｘ  中蓋切除予定領域
３Ｙ  中蓋残片
４    内蓋
４ａ  内蓋連接辺
４ｂ  内蓋縁辺
４ｈ  切り込み
５Ａ  第１側壁
５Ｂ  第２側壁
５Ｃ  第３側壁
５Ｄ  第４側壁
５Ｅ  内側側壁
５Ｘ  側壁接着フラップ
６    差込フラップ
７    底板
８    予備フラップ
９Ａ、９Ｂ    底部フラップ
１０    底部差込フラップ
１２ａ、１２ｂ    切り込み
１３    段部
１４    段部
１５    切り込み
１６    段部
１７ａ、１７ｂ  リブ
３０    開口部
Ｌ1   折線
Ｌａ  中蓋切断誘導線
Ｌｂ  外蓋切断誘導線
ｓ    間隙
Ｗ    内蓋の幅
【図１】
2014129135.tif 000003
【図２Ａ】
2014129135.tif 000004
【図２Ｂ】
2014129135.tif 000005
【図３】
2014129135.tif 000006
【図４Ａ】
2014129135.tif 000007
【図４Ｂ】
2014129135.tif 000008
【図４Ｃ】
2014129135.tif 000009
【図４Ｄ】
2014129135.tif 000010
【図５Ａ】
2014129135.tif 000011
【図５Ｂ】
2014129135.tif 000012
【図６】
2014129135.tif 000013